(57)【要約】【課題】本発明は、腐蝕現象の拡散を阻止する取付足が設けられるハウジングを備える電気コネクタ提供することを目的とする。【解決手段】本発明の電気コネクタは、絶縁性本体と、前記絶縁性本体に固着される複数の端子と、前記絶縁性本体を遮蔽し、前壁と、上壁と、一対の側壁とを有するハウジングと、を備える。前記側壁には、下向きに延在する複数の取付足と、前記取付足に隣接するギャップと、が設けられる。前記ギャップの上辺が、前記取付足の前記ギャップの上辺に連接する連接辺と直交する。【選択図】図９
2015204288.tif 000002
【特許請求の範囲】
【請求項１】
絶縁性本体と、
前記絶縁性本体に固着される複数の端子と、
前記絶縁性本体を遮蔽し、上壁と、一対の側壁とを有するハウジングと、
を備え、
前記側壁には、下向きに延在する複数の取付足と、前記取付足に隣接するギャップと、が設けられ、前記ギャップの上辺が、前記取付足のうち前記ギャップの上辺に連接する連接辺と直交することを特徴とする電気コネクタ。
【請求項２】
前記ギャップの上辺が水平に延在し、前記取付足が、前記連接辺を有する矩形部と前記矩形部から下向きに延在する台形部とを有し、前記台形部の上辺が下辺より大きいことを特徴とする請求項１に記載の電気コネクタ。
【請求項３】
前記ギャップの高さは、０．６ｍｍであることを特徴とする請求項２に記載の電気コネクタ。
【請求項４】
前記ハウジングの側壁の下辺と前記絶縁性本体の下辺の間の上下方向の距離は、１．４０ｍｍであることを特徴とする請求項２に記載の電気コネクタ。
【請求項５】
前記台形部の高さが、前記矩形部の高さより大きく、前記取付足には、前記矩形部から前記台形部まで延在するリブが設けられ、前記リブが、前記ギャップの上辺に対して上向きに突出することを特徴とする請求項２に記載の電気コネクタ。
【請求項６】
前記取付足は、錫めっきをした後、封孔剤で封孔処理され、前記封孔剤の７０％の成分は、水性封孔剤であることを特徴とする請求項１に記載の電気コネクタ。
【請求項７】
前記取付足において、錫めっきによって形成される錫めっき層の厚さは、３０〜５０μｍであることを特徴とする請求項６に記載の電気コネクタ。
【請求項８】
前記絶縁性本体には、相手側プラグが挿入される収納孔が形成され、前記電気コネクタは、接地片と前記絶縁性本体の収納孔の上方に配置される固定部材とを備え、前記固定部材が、保持部と、前記保持部から前向きに延在する一対の延在ビームと、保持部の前端から窪み、前記接地片を挿入するスロットと、保持部の後端から窪むスリットと、を備えることを特徴とする請求項１に記載の電気コネクタ。
【発明の詳細な説明】
【技術分野】
【０００１】
本発明は、電気コネクタに関し、特に、取付足が設けられる金属ハウジングを備える電気コネクタタに関するものである。
【背景技術】
【０００２】
従来の電気コネクタのハウジングは、絶縁性本体と前記絶縁性本体を遮蔽するハウジングとを備える。前記ハウジングは、主体部と前記主体部から下向きに延在する複数の取付足とを有する。前記取付足の上端と前記主体部との間には、アーチ形の孔が形成される。
【先行技術文献】
【特許文献】
【０００３】
【特許文献１】台湾実用新案第Ｍ３５９１０１号明細書
【発明の概要】
【発明が解決しようとする課題】
【０００４】
従来技術のハウジングの取付足が塩水テスト（ｓａｌｔ  ｓｐｒａｙ  ｔｅｓｔ）でテストされる時、腐蝕現象が、弧形のギャップに沿って、容易にハウジングの側壁に向かって広がるように発生する。
【０００５】
そこで、本発明の目的は、腐蝕現象の発生を阻止する取付足が設けられるハウジングを備える電気コネクタを提供することにある。
【課題を解決するための手段】
【０００６】
前記目的を達成するために、本発明の電気コネクタは、絶縁性本体と、前記絶縁性本体に固着される複数の端子と、前記絶縁性本体を遮蔽し、前壁と上壁と一対の側壁とを有するハウジングと、を備える。前記側壁には、下向きに延在する複数の取付足と、前記取付足に隣接するギャップと、が設けられる。前記ギャップの上辺が、前記取付足の前記ギャップの上辺に連接する連接辺と直交する。
【発明の効果】
【０００７】
従来の技術と比べると、本発明は以下の長所を有する。本発明の取付足は、塩水テスト（ｓａｌｔ  ｓｐｒａｙ  ｔｅｓｔ）でテストされる場合、腐蝕現象が上向きに広がるように発生する。前記ギャップの上辺は、前記取付足の前記ギャップの上辺に連接する連接辺と直交する。腐蝕現象は、従来技術の弧形のギャップに沿って、容易にハウジングの側壁に向かって広がる。しかしながら、本発明では、腐蝕現象は、直角のギャップに阻止されるため、ハウジングの側壁に向かって広がり難くなっている。
【図面の簡単な説明】
【０００８】
【図１】本発明の電気コネクタ組立斜視図である。
【図２】図１に示す電気コネクタの分解斜視図である。
【図３】図２に示す電気コネクタを別の角度から見た分解斜視図である。
【図４】図２に示す電気コネクタの絶縁性本体と、上端子グループと、下端子グループと、の斜視図である。
【図５】図３に示す電気コネクタの絶縁性本体と、上端子グループと、下端子グループと、の斜視図である。
【図６】図２に示す電気コネクタの上端子グループと、下端子グループと、接地片と、転換端子との斜視図である。
【図７】図２に示す第１スイッチ端子と第２スイッチ端子の分解斜視図である。
【図８】図２に示す第１スイッチ端子と転換端子が絶縁性本体に固定される斜視図である。
【図９】図１に示すハウジングの側視図である。
【発明を実施するための形態】
【０００９】
図１〜図９に示すように、本発明の電気コネクタ１００は、絶縁性本体１と、前記絶縁性本体１に固着される複数の端子と、接地片３と、固定部材５と、位置決め部材６と、突出部７と、前記絶縁性本体１を遮蔽するハウジング８とを備える。
【００１０】
図４及び図５に示すように、前記絶縁性本体１には、三つの挿入孔１１と、前記挿入孔１１に連通し、相手側プラグが挿入される三つの収納孔１２と、が形成される。各挿入孔１１は、円形の孔１１２と、円形の孔１１２の上下両側に形成される一対の台形の嵌合孔１１１とを備える。各収納孔１２の上方には、収納孔１２に連通する嵌合溝１５が形成される。各収納孔１２の側方には、収納孔１２に連通する係合溝１３と係止溝１４とが形成される。二つの収納孔１２の間には固定孔１６が形成される。前記絶縁性本体１の側壁には複数の凹所１７が形成される。前記絶縁性本体１の底部には、取付面１９と、一対の固持溝１８とが形成される。
【００１１】
図６に示すように、前記複数の端子は、一対の上端子グループ２０と、下端子グループ２９と、複数のＬ字状の転換端子４０と備える。各上端子グループ２０は、一対の第１信号端子２３と、第１スイッチ端子２４と、第２スイッチ端子２５とを有する。下端子グループ２９は、上端子グループ２０と、第２信号端子２６と、第３スイッチ端子２７と、第４スイッチ端子２８とを有する。
【００１２】
各第１信号端子２３は、板状部２３１と、板状部２３１から延在する信号接触部２３２と、板状部２３１の上下両側に設けられる複数の係合片２３３と、板状部２３１の底部から折り曲げられる信号半田接続部２３４とを備える。二つの第１信号端子２３の二つの信号接触部２３２はそれぞれ、対応する板状部２３１の前端と後端から延在する。
【００１３】
図７に示すように、第１スイッチ端子２４は、前記絶縁性本体１に固着されるｎ形の第１主体部２４１と、前記第１主体部２４１から前記収納孔１２に向かって折り曲げられる第１弾性ビーム２４２と、インサートモールド成型によって前記第１弾性ビーム２４２に固着される絶縁性ブロック２４５と、第１主体部２４１に設けられる複数の第１係合部２４３と、前記第１弾性ビーム２４２の下端から折り曲げられる第１半田接続部２４４とを備える。第１弾性ビーム２４２には、中央に孔が形成される固持部２４９が形成される。前記絶縁性ブロック２４５は、第１弾性ビーム２４２に固着される基部２４６と、前記基部２４６から前記収納孔１２に向かって突出する押圧部２４７と、前記押圧部２４７の前端に設けられる傾斜の導入部２４８と、前記固持部２４９と係合する第１固定溝２４０とを備える。他の実施形態において、前記絶縁性ブロック２４５は第１弾性ビーム２４２に挿入される。
【００１４】
第２スイッチ端子２５は、前記絶縁性本体１に固着されるｎ形の第２主体部２５１と、前記第２主体部２５１から前記収納孔１２に向かって折り曲げられる第２弾性ビーム２５２と、前記第２弾性ビーム２５２に固着される凸状部片２５５と、第２主体部２４１に設けられる複数の第２係合部２５３と、前記第２弾性ビーム２５２の下端から折り曲げられる第２半田接続部２５４とを備える。
【００１５】
図６に示すように、第２信号端子２６は、下向きに延在する第２半田接続部２６３を有する。第３スイッチ端子２７は、下向きに延在する第３半田接続部２７４を有する。第４スイッチ端子２８は、下向きに延在する第４半田接続部２８４を有する。
【００１６】
接地片３は、本体部３０と、前記本体部３０から前向きに延在する複数の接触ビーム３２と、固定部３３と、前記本体部３０から下向きに延在する半田接続脚３４と、を備える。
【００１７】
図２及び図３に示すように、前記固定部材５は、保持部５１と、前記保持部５１から前向きに延在する一対の延在ビーム５２と、保持部５１の前端から窪むスロット５３と、保持部５１の後端から窪むスリット５４と、を備える。
【００１８】
位置決め部材６には、相手方向に沿って配置され、高さが異なる複数列の端子溝６３が設けられる。各端子溝６３は、上下方向に沿って延在する。
【００１９】
突出部７は複数の筒状部７３を有する。各筒状部７３の上側と下側には複数の係止部７１と、前記筒状部７３に延在する収納溝７２と、が設けられる。
【００２０】
図２及び図９に示すように、前記ハウジング８は、前壁８３と、上壁８４と、一対の側壁８５とを有する。前記側壁８５には、下向きに延在する複数の取付足８２と、前記取付足８２に隣接するギャップ８６と、が設けられる。前記取付足８２は、錫めっきをした後に、封孔剤で封孔処理をされる。前記ギャップ８６の上辺８６１は、前記取付足８２の前記ギャップ８６の上辺８６１に連接する連接辺８２１１と直交する。前記ギャップ８６の上辺８６１は水平に延在する。前記取付足８２は、前記連接辺８２１１を有する矩形部８２１と、前記矩形部８２１から下向きに延在する台形部８２２とを有する。前記台形部８２２の上辺は下辺より大きい。
【００２１】
最良の実施形態において、前記ギャップ８６の高さ、即ち、側壁８５の下辺と前記ギャップ８６の上辺との間の上下方向の距離は、０．６ｍｍである。図１を参照すると、前記ハウジング８の側壁８５の下辺と、前記絶縁性本体１の下辺、即ち取付面１９の側辺と、の間の上下方向の距離は、１．４０ｍｍである。前記台形部８２２の高さは、前記矩形部８２１の高さより大きい。前記取付足８２には、前記矩形部８２１から前記台形部８２２まで延在するリブ８２３が設けられる。前記リブ８２３が、前記ギャップ８６の上辺８６１に対して上向きに突出する。前記封孔剤の７０％の成分は、水性封孔剤（ｗａｔｅｒ  ｓｅａｌｉｎｇ  ａｇｅｎｔ）である。錫めっき層の厚さは、３０〜５０μｍである。このような取付足８２は、腐蝕現象の広がりを阻止する。
【００２２】
前記電気コネクタ１００を組み立てる場合、上端子グループ２０と下端子グループ２９とは、絶縁性本体１の収納孔１２に収納される。係合片２３３と、第１係合部２４３と、第２係合部２５３とは、対応する係合溝１３と、係止溝１４とに係合する。下端子グループ２９の第２半田接続部２６３と、第３半田接続部２７４と、第４半田接続部２８４とは、絶縁性本体１から延出する。
【００２３】
転換端子４０は、収納孔１２に収納され、信号半田接続部２３４と、第１半田接続部２４４と、第２半田接続部２５４と電気接続される。二つの固定部材５は、絶縁性本体１の二つの収納孔１２の上方に配置される。延在ビーム５２は、絶縁性本体１の凹所１７に収納される。位置決め部材６は、絶縁性本体１に取り付けられる。転換端子４０が、固定部材５のスリット５４と、位置決め部材６の端子溝６３とに挿入される。接地片３の本体部３０が、固定部材５のスロット５３と、位置決め部材６の端子溝６３とに挿入される。接地片３の接触ビーム３２が嵌合溝１５に嵌合され、固定部３３が固定孔１６と係合する。突出部７の係止部７１は、嵌合孔１１１に嵌合される。筒状部７３は、円形の孔１１２に収納されるよう挿入される。接地片３の接触ビーム３２は、突出部７の収納溝７２に挿入される。ハウジング８は、絶縁性本体１に遮蔽する。筒状部７３は、開放孔８１によって外へ突出する。
【００２４】
取付足８２が塩水テスト（ｓａｌｔ  ｓｐｒａｙ  ｔｅｓｔ）でテストされる場合、腐蝕現象は上向きに広がる。前記ギャップ８６の上辺８６１は、前記取付足８２の前記ギャップ８６の上辺８６１に連接する連接辺８２１１と直交する。腐蝕現象は、従来技術では弧形のギャップに沿って、容易にハウジング８の側壁に向かって拡散される。しかしながら、本発明では、腐蝕現象は、直角のギャップ８６に阻止されるため、ハウジング８の側壁８５に向かって広がり難くなっている。
【００２５】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２６】
１００  電気コネクタ
１  絶縁性本体
１１  挿入孔
１１１  嵌合孔
１１２  円形の孔
１２  収納孔
１３  係合溝
１４  係止溝
１５  嵌合溝
１６  固定孔
１７  凹所
１８  固持溝
１９  取付面
２０  上端子グループ
２３  第１信号端子
２３１  板状部
２３２  信号接触部
２３３  係合片
２３４  信号半田接続部
２４  第１スイッチ端子
２４０  第１固定溝
２４１  第１主体部
２４２  第１弾性ビーム
２４３  第１係合部
２４４  第１半田接続部
２４５  絶縁性ブロック
２４６  基部
２４７  押圧部
２４８  導入部
２４９  固持部
２５  第２スイッチ端子
２５１  第２主体部
２５２  第２弾性ビーム
２５３  第２係合部
２５４  第２半田接続部
２５５  凸状部片
２９  下端子グループ
２６  第２信号端子
２６３  第２半田接続部
２７  第３スイッチ端子
２７４  第３半田接続部
２８  第４スイッチ端子
２８４  第４半田接続部
３  接地片
３０  本体部
３２  接触ビーム
３３  固定部
３４  半田接続脚
４０  転換端子
５  固定部材
５１  保持部
５２  延在ビーム
５３  スロット
５４  スリット
６  位置決め部材
６３  端子溝
７  突出部
７１  係止部
７２  収納溝
７３  筒状部
８  ハウジング
８１  開放孔
８２  取付足
８２１  矩形部
８２１１  連接辺
８２２  台形部
８２３  リブ
８３  前壁
８４  上壁
８５  側壁
８６  ギャップ
８６１  上辺
【図１】
2015204288.tif 000003
【図２】
2015204288.tif 000004
【図３】
2015204288.tif 000005
【図４】
2015204288.tif 000006
【図５】
2015204288.tif 000007
【図６】
2015204288.tif 000008
【図７】
2015204288.tif 000009
【図８】
2015204288.tif 000010
【図９】
2015204288.tif 000011